(57)【要約】【課題】各色の色味バランスの差を軽減することができる画像読取装置を提供する。【解決手段】本発明の画像読取装置は、原稿の複数の色の画像情報を結像レンズ１１を介して読み取る読取手段１２を備える。そして、読取手段１２から出力される複数の色のデータのうち特定色のデータに対して、所定の補正処理を施す補正手段２３、２４を備える。【選択図】図２
2008177764.tif 000002
【特許請求の範囲】
【請求項１】
原稿の複数の色の画像情報を結像レンズを介して読み取る読取手段を備える画像読取装置において、
前記読取手段から出力される前記複数の色のデータのうち特定色のデータに対して、所定の補正処理を施す補正手段を備えることを特徴とする画像読取装置。
【請求項２】
前記特定色は、前記結像レンズが持つ色収差において、結像位置が前記結像レンズに最も近い色と最も遠い色の間に結像位置を持つ色であることを特徴とする請求項１記載の画像読取装置。
【請求項３】
前記補正手段は、各色の解像度の補正演算部と補正部であることを特徴とする請求項１記載の画像読取装置。
【発明の詳細な説明】
【技術分野】
【０００１】
本発明は、原稿の画像情報を、結像レンズを介してＣＣＤ上に結像して読み取る画像読取装置に関する。
【背景技術】
【０００２】
従来、原稿等の画像情報を副走査方向にライン走査して、ＲＧＢ３色のＣＣＤセンサ等のＣＣＤで読み取る画像読取装置が知られている（例えば、特許文献１参照）。
【０００３】
このような構成の画像読取装置における光学系（ミラー、結像レンズ、ＣＣＤ）の調整方法図１０に基づいて説明する。
【０００４】
図１０は、画像読取装置における光学系の調整方法を説明するための図である。
【０００５】
図１０（ａ）において、画像読取装置本体で調整を必要としているユニットとして、原稿２が載置された原稿台ガラス１の下方に３つのユニットＡ、Ｂ、Ｃがある。即ち、（ａ）において、第１ミラー８、照明系（照明用光源３、反射笠４〜６、スリット板７）を含むユニットＡと、第２ミラー９、第３ミラー１０を含むユニットＢと、結像レンズ１１、ＣＣＤ１２を含むユニットＣである。
【０００６】
上記ユニットＣは、図１０（ｂ）に示すように、結像レンズ１１を含むユニットＣ−１と、ＣＣＤ１２を含むユニットＣ−２とから構成されている。このユニットＣは、本体へのユニット設置前の別工程において、ユニットＣ−１とユニットＣ−２との関係を調整される。
【０００７】
画像読取装置での光学調整項目としては、
１．光軸高さ調整
２．主走査位置調整
３．傾き調整
４．解像度／主走査倍率調整
が主な項目となる。
【０００８】
具体的には、１の「光軸高さ調整」では、ユニットＣ−２をＺ軸方向に平行移動させ、画像位置とＣＣＤ１２が一致するように調整を行う。２の「主走査位置調整」では、ユニットＣ−２をＹ軸方向に平行移動させ、画像の主走査方向中心位置とＣＣＤ１２の中心画素が一致するように調整を行う。
【０００９】
３の「傾き調整」では、ユニットＣ−２を、Ｘ軸を中心とする回転方向Ｋに動かし、画像の傾きとＣＣＤ１２の傾きが一致するように調整を行う。４の「解像度及び主走査倍率調整」では、ユニットＣ−１及びユニットＣ−２を独立でＥ方向に動かし、解像度と主走査倍率値が良い状態になるよう調整を行う。本調整は、ミラーを介さない冶工具等により行われる。
【００１０】
調整後は取り付け板１３等を介してビス止め又は半田により固定される。また、調整後のユニットＣは、本体に投入設置されて本体上での基準となる。そして、第１〜第３ミラー８，９，１０が走査される基準にもなるガイドレ−ル（不図示）に対して高さ方向（図中Ｄ方向）に調整された後、固定される。さらにユニットＣは、本体上での光路長誤差を吸収し、倍率を合わせるためにＥの方向に調整される。
【００１１】
また、上記ユニットＡは、Ｆの方向に同期（副走査方向の読み取り位置）を調整する。さらに、ユニットＢは、本体奥、手前方向のどちらか一方の上下方向Ｇに調整することにより、読み取り位置を直角方向に調整する。
【００１２】
上記のように、画像読取装置本体上で調整可能なユニットがＡ，Ｂ，Ｃの大きく３つに分かれていて、特にユニットＣ（ＣＣＤユニット）は、本体への設置後の不良等によっても無調整で交換可能に構成されている。
【００１３】
即ち、本体上の誤差（光路長、ガイドレ−ルに対する高さ）を吸収して位置を再現できるように、各ユニットは、本体上で可動な基準ピン（不図示）により位置決め固定されている。
【特許文献１】特開平０６−１１３１１２号公報
【発明の開示】
【発明が解決しようとする課題】
【００１４】
上記従来例で述べたように、光学系の配置及び調整においては、多数の部品を使用し、多くの調整工程に時間を費やしている。
【００１５】
しかしながら、解像度においては、結像レンズの色収差により、調整では解消し切れない各色の解像度（以下ＣＴＦ）の差が発生してしまう。各色のＣＴＦの差は色味バランスの差となり、画像読取装置においては、原稿の色再現性を落してしまうという問題が発生する。
【００１６】
本発明の目的は、各色の色味バランスの差を軽減することができる画像読取装置を提供することにある。
【課題を解決するための手段】
【００１７】
上記目的を達成するため、請求項１記載の画像読取装置は、原稿の複数の色の画像情報を結像レンズを介して読み取る読取手段を備える画像読取装置において、前記読取手段から出力される前記複数の色のデータのうち特定色のデータに対して、所定の補正処理を施す補正手段を備えることを特徴とする。
【発明の効果】
【００１８】
本発明によれば、特定色の画像読み取り信号値に所定の補正処理を行うことで色味バランスの差を軽減することが可能になる。
【発明を実施するための最良の形態】
【００１９】
以下、本発明の実施の形態を図面を参照しながら詳細に説明する。但し、この実施の形態に記載されている構成部品の寸法、材質、形状、その相対配置などは、特に特定的な記載がない限りは、この発明の範囲をそれらのみに限定する趣旨のものではない。
【００２０】
図１は、本発明の実施の形態に係る画像読取装置の構成図である。
【００２１】
以下、その構成を動作と併せて説明する。
【００２２】
図１において、原稿台ガラス１に上に載置された原稿２は、蛍光灯等の照明用光源３及び反射笠４，５，６により照明される。原稿２からの反射光は、スリット板７のスリット７ａ、第１ミラー８、第２ミラー９、第３ミラー１０を介して結像レンズ１１に導かれ、ＣＣＤ１２上に結像されて読み取られる。
【００２３】
原稿２は、副走査方向に走査されるが、この時、各ミラー８，９，１０の走査速度は、第１ミラー８の速度をｖとした時、第２ミラー９及び第３ミラー１０の速度が略ｖ／２になるように設定されている。
【００２４】
ＣＣＤ１２上に結像された画像情報は、電気信号に変換され、図示しない出力装置に送られてプリント出力として画像情報の出力が行われる場合や、記憶装置に送られて入力画像情報の記憶が行われる場合があり、それぞれの場合に画像読取装置が使用されている。
【００２５】
図２は、本発明の実施の形態に係る画像読取装置の機能ブロック図である。
【００２６】
図２において、ＣＣＤ１２で読み取られた画像データがアナログ信号としてそれぞれ出力される。これらのアナログ信号は、Ａ／Ｄ変換部２１でデジタル信号にそれぞれ変換される。デジタル信号となった画像データは、シェーディング補正部２２でそれぞれシェーディング補正される。
【００２７】
シェーディング補正では、ＣＣＤ１２の読み取りにおいて発生する画像データの画素毎のばらつきを補正するために、次に説明するように、画素毎にゲイン調整値、オフセット調整値を設定する。
【００２８】
まず、原稿台ガラス１の裏面に貼付されているシェーディング白板（図示せず）を、照明用光源３を点灯させてＣＣＤ１２により読み取る。これにより画像読取部装置側のシェーディングデータを得る。
【００２９】
このようにして得られたＣＣＤ１２のシェーディングデータの各画素値が、所定の目標値（例えば、輝度値２４５）になるように、ゲイン値を画素毎に調整する。こうして得られたゲイン調整値をシェーディング補正データとしてそれぞれ記憶しておく。
【００３０】
続いて、照明用光源３を消灯した状態で、ＣＣＤ１２から出力されるデータを取得する。そして、該データの各画素値（黒オフセット値）が所定の目標値（例えば、輝度値５）になるように、画素毎にオフセット調整を行う。こうして得られたオフセット調整値をシェーディング補正データとしてそれぞれ記憶しておく。
【００３１】
このように記憶されたシェーディング補正データを用いて、シェーディング補正部２２では、ＣＣＤ１２から得られた通常の画像データに対してシェーディング補正をそれぞれ施す。
【００３２】
ＣＴＦ補正演算部２３では、シェーディング補正が行われた画像データに基づいて、ＣＴＦ特性補正に使用するＣＴＦ補正の補正係数の演算（算出）を行う。この補正係数の算出方法については、後述する。
【００３３】
ＣＴＦ補正部２４では、ＣＴＦ補正演算部２３で算出された補正係数を用いて、シェーディング補正後の画像データに対して、ＣＴＦ特性補正をそれぞれ行う。このようにして補正された画像データは、送信部２５で、図示しない画像形成部にそれぞれ送られる。
【００３４】
図３は、図１の画像読取装置における光学特性を示す図である。
【００３５】
図１０（ａ）に示す本体上で、ユニットＣをＥ方向に一定量ずつ動かした時のＲ、Ｇ、ＢのＣＴＦ値及び主走査倍率値を表している。
【００３６】
また、ＣＴＦ値に関しては、数値が高いほど解像度がよいことを表している。主走査倍率値に関しては、原稿サイズが設計値通り読み取られている場合を１．０とし、ＣＣＤ１２が読み込んだ原稿サイズ値を実際の原稿サイズ値で割られた値で表されている。
【００３７】
図３からも判るように、レンズの色収差により、各色の解像度の高い位置が異なっており、従来の調整作業においては、解像度は、主走査倍率値が１．０のところに調整される。
【００３８】
図４は、図３のグラフを表にした図である。
【００３９】
図４において、主走査倍率値が１．０の時の各色のＣＴＦは、Ｒ：７６．０％、Ｇ：７６．０％、Ｂ：８１．１％となっている。
【００４０】
このような光学特性を持つ画像読取装置において、Ｂの値がＲ，Ｇと同等のＣＴＦになるように補正係数を算出する。
ＢがＲ、Ｇと同等のＣＴＦになるための補正係数は、
補正係数＝Ｒ、ＧのＣＴＦ値／ＢのＣＴＦ値＝７６／８１．１＝０．９３７１
となる。
【００４１】
図５は、図４におけるＢの読み取り信号値において、補正係数をかけた後の画像読取装置の光学特性を示す図である。
【００４２】
このグラフからも判るとおり、主走査倍率値が１．０の時に、Ｒ、Ｇ、ＢでのＣＴＦ値差はなく、また、調整がずれた場合においても補正前のＲＧＢの色バランスがほとんどないことが判る。
【００４３】
また、本発明は、結像レンズが持つ色収差において、結像位置がレンズに最も近い色と最も遠い色の間に結像位置を持つ色を補正するという考えから、Ｂという特定色において、補正係数を固定した状態で処理を行う。
【００４４】
その理由としては、結像レンズの色収差特性は、設計値から既に予測できるということと、装置毎にそれぞれ可変的な処理を行った場合には、市場において、ユニットＣが交換された時のＣＴＦ変化を抑える手段が複雑になることを避けるためである。
【００４５】
上記では、原稿の位置によらず特定色に対して一律固定した補正処理を行う事例を説明したが、以下に、原稿の主走査方向での読み取り位置によって補正処理を変える例を説明する。
【００４６】
結像レンズの特性として、図６の原稿中心と原稿端部でのＣＴＦには差があり、一般には端部の方が低くなる。
【００４７】
図７は、図１の画像読取装置における原稿中心及び端部での光学特性を示す図である。
【００４８】
図８は、図７のグラフを表にした図である。
【００４９】
図８において、主走査倍率値が１．０の時の各色の位置によるＣＴＦは、
（原稿中心）Ｒ：７６．０％  Ｇ：７６．０％  Ｂ：８１．１％
（原稿端部）Ｒ：６０．８％  Ｇ：６０．８％  Ｂ：６４．９％
となっている。
【００５０】
このような光学特性を持つ画像読取装置において、Ｂの値がＲ，Ｇと同等のＣＴＦになるように読み取り位置毎に補正係数を算出する。
【００５１】
前述した補正係数の算出方法から、各位置での補正係数を求めると
（原稿中心）補正係数＝７６／８１．１＝０．９３７１
（原稿端部）補正係数＝６０．８／６４．９＝０．９３６８
となる。
【００５２】
図９は、図８におけるＢの読み取り信号値において、原稿読み取り位置が中心部と端部とで各々別の補正係数をかけた後の光学特性を示す図である。
【００５３】
このグラフからも判る通り、主走査倍率値が設計段階の１．０の時にＲ、Ｇ、ＢでのＣＴＦ値差はなく、また、調整がずれた場合においても補正前のＲＧＢの色バランスがほとんどないことが判る。
【図面の簡単な説明】
【００５４】
【図１】本発明の実施の形態に係る画像読取装置の構成図である。
【図２】本発明の実施の形態に係る画像読取装置の機能ブロック図である。
【図３】図１の画像読取装置における光学特性を示す図である。
【図４】図３のグラフを表にした図である。
【図５】図４におけるＢの読み取り信号値において、補正係数をかけた後の画像読取装置の光学特性を示す図である。
【図６】原稿の主走査方向と原稿中心を示す図である。
【図７】図１の画像読取装置における原稿中心及び端部での光学特性を示す図である。
【図８】図７のグラフを表にした図である。
【図９】図８におけるＢの読み取り信号値において、原稿読み取り位置が中心部と端部とで各々別の補正係数をかけた後の光学特性を示す図である。
【図１０】従来の画像読取装置における光学系の調整方法を説明するための図である。
【符号の説明】
【００５５】
１  原稿台ガラス
２  原稿
３  照明用光源
４〜６  反射笠
７  スリット板
８〜１０  ミラー
１１  結像レンズ
１２  ＣＣＤ（読取手段）
２３  ＣＴＦ補正演算部（補正手段）
２４  ＣＴＦ補正部（補正手段）
【図１】
2008177764.tif 000003
【図２】
2008177764.tif 000004
【図３】
2008177764.tif 000005
【図４】
2008177764.tif 000006
【図５】
2008177764.tif 000007
【図６】
2008177764.tif 000008
【図７】
2008177764.tif 000009
【図８】
2008177764.tif 000010
【図９】
2008177764.tif 000011
【図１０】
2008177764.tif 000012